(57)【要約】  【課題】第１内視鏡に備えられているチャンネルに着脱自在に挿通配置される、拡大観察可能な第２内視鏡の第１内視鏡からの突出量を微調整して、組織、毛細血管等の拡大観察を容易に行える内視鏡装置を提供すること。  【解決手段】第１内視鏡２の挿通口２５に固定される第２リング部材４４を設けた外筒４１と、第２内視鏡３の挿入部３１を内管４２に一体的に固定する機械的な固定機構を設けた内管４２とを一体に構成するとともに、この外筒４１に回動自在に雌ねじ４３ａを備えた第１リング部材４３を設けて固定具４を構成する。このことによって、第１リング部材４３を回動させることによって、内管４２を外筒４１に対して長手軸方向に進退移動させて、この内管４２に一体な挿入部３１の進退が微調整される。【選択図】図５
2005177190.tif 000002
【特許請求の範囲】
【請求項１】
被検体に挿入可能な第１の挿入部を有する第１の内視鏡と、
前記挿入部に形成され、前記挿入部の先端側開口と基端側開口とを連通するチャンネルと、
前記チャンネルに挿通可能な径で形成された第２の挿入部を有し、前記第１の内視鏡の観察倍率に対して高い観察倍率で前記被検体を観察可能な第２の内視鏡と、
前記チャンネルに前記第２の挿入部を挿入した状態で、前記第１の内視鏡に対して前記第２の内視鏡を螺合により一体的に取りつける連結部と、
を有することを特徴とする内視鏡装置。
【請求項２】
挿入部にチャンネルを有し、手元側の把持部に前記チャンネルに連通する挿通口を備える第１の内視鏡と、この第１の内視鏡のチャンネルに挿通される細長な挿入部の先端部に組織学的観察レベルの倍率の対物光学系を備えた第２の内視鏡と、この第２の内視鏡の挿入部を前記第１の内視鏡に一体的に連結固定する、前記第１の内視鏡の挿通口に着脱自在な内視鏡用固定具とを具備する内視鏡装置であって、
前記内視鏡用固定具は、
前記第１の内視鏡の挿通口に着脱自在な連結部材が配設される外筒と、
外周面に雄ねじ部が形成され、前記第２の内視鏡の挿入部が挿通される軸方向貫通孔を備える内管と、
前記内管の軸方向貫通孔に挿通された前記第２の内視鏡の挿入部を、この内管に一体的に固定する固定手段と、
前記外筒に回動自在に配置され、前記内管の外周面に形成されている前記雄ねじ部に螺合する雌ねじ部を内周面に形成した進退量調整部材と、
を具備することを特徴とする内視鏡装置。
【請求項３】
前記固定手段は、前記内管の手元側端部を構成する、外周面に雄ねじ部とテーパー面とを備えこのテーパー面側にすり割溝を形成した細径部に螺合配置される、前記細径部の雄ねじ部に螺合する雌ねじ部及び前記テーパー面を押圧した状態で当接するテーパー面とを有する筒状部材であることを特徴とする請求項２に記載の内視鏡装置。
【発明の詳細な説明】
【技術分野】
【０００１】
本発明は、第１の内視鏡の処置具挿通チャンネルに、組織学的観察レベルの倍率の対物光学系を備えた第２の内視鏡を挿通させて組織学的観察をも行える内視鏡装置に関する。
【背景技術】
【０００２】
近年細胞や腺構造を始めとする粘膜上皮の組織学的観察をＩｎ  ｖｉｖｏ（生きたまま）で行うことが注目されている。この組織学的観察においては、各種臓器の毛細血管の観察によって病態解析や早期癌の発見、診断を行える。
【０００３】
例えば、特開２００１−２７５９５３号公報には、広角視野と倍率可変の拡大視野とを同時に観察できるマルチビュー内視鏡が開示されている。このマルチビュー内視鏡では、硬性鏡に設けられている第２光学チャンネルに直進用ラックスリーブを介して硬性又は軟性の拡大観察光学ユニットが配設されるようになっている。
【０００４】
そして、硬性鏡の操作部に設けられている回転操作ノブを操作することによってピニオンが回転されて、このピニオンに噛合している前記直進用ラックスリーブを構成するラックが進退移動する。このことにより、この直進用ラックスリーブに固定ネジによって固定されている例えば拡大観察光学ユニットも進退移動される。
【特許文献１】特開２００１−２７５９５３号公報
【発明の開示】
【発明が解決しようとする課題】
【０００５】
しかしながら、前記特開２００１−２７５９５３号公報のマルチビュー内視鏡では拡大観察光学ユニットの進退移動を、操作部の回転操作ノブを操作してピニオンを回転させることにより、直進用ラックスリーブを構成するラックを進退移動させる、ラック・アンド・ピニオン機構で行っていたため、前記拡大観察光学ユニットの進退移動距離を微調整することが困難であった。
【０００６】
このため、細胞や腺構造を始めとする組織学的観察レベルの倍率（一般的な顕微鏡で２００〜１０００倍レベル）を備えた拡大鏡を使用する場合、進退移動させる距離の微調整を行えないことは、組織学的観察が困難になる原因でもあった。
【０００７】
本発明は上記事情に鑑みてなされたものであり、第１内視鏡に備えられているチャンネルに進退自在に挿通配置された、拡大観察可能な第２内視鏡の第１内視鏡からの突出量を微調整して、組織、毛細血管等の拡大観察を容易に行える内視鏡装置を提供することを目的にしている。
【課題を解決するための手段】
【０００８】
本発明の内視鏡装置は、被検体に挿入可能な第１の挿入部を有する第１の内視鏡と、前記挿入部に形成され、前記挿入部の先端側開口と基端側開口とを連通するチャンネルと、前記チャンネルに挿通可能な径で形成された第２の挿入部を有し、前記第１の内視鏡の観察倍率に対して高い観察倍率で前記被検体を観察可能な第２の内視鏡と、前記チャンネルに前記第２の挿入部を挿入した状態で、前記第１の内視鏡に対して前記第２の内視鏡を螺合により一体的に取りつける連結部とを有している。
【０００９】
また、挿入部にチャンネルを有し、手元側の把持部に前記チャンネルに連通する挿通口を備える第１の内視鏡と、この第１の内視鏡のチャンネルに挿通される細長な挿入部の先端部に組織学的観察レベルの倍率の対物光学系を備えた第２の内視鏡と、この第２の内視鏡の挿入部を前記第１の内視鏡に一体的に連結固定する、前記第１の内視鏡の挿通口に着脱自在な内視鏡用固定具とを具備する内視鏡装置であって、
前記内視鏡用固定具は、前記第１の内視鏡の挿通口に着脱自在な連結部材が配設される外筒と、外周面に雄ねじ部が形成され、前記第２の内視鏡の挿入部が挿通される軸方向貫通孔を備える内管と、前記内管の軸方向貫通孔に挿通された前記第２の内視鏡の挿入部を、この内管に一体的に固定する固定手段と、前記外筒に回動自在に配置され、前記内管の外周面に形成されている前記雄ねじ部に螺合する雌ねじ部を内周面に形成した進退量調整部材とを具備している。
【００１０】
そして、前記固定手段は、前記内管の手元側端部を構成する、外周面に雄ねじ部とテーパー面とを備えこのテーパー面側にすり割溝を形成した細径部に螺合配置される、前記細径部の雄ねじ部に螺合する雌ねじ部及び前記テーパー面を押圧した状態で当接するテーパー面とを有する筒状部材である。
【００１１】
この構成によれば、第１の内視鏡の挿入部に有するチャンネルに、第１の内視鏡の観察倍率より高い第２の内視鏡を挿入して観察を行える。この第２の内視鏡による観察状態において、この第２の内視鏡を連結部によって第１の内視鏡に固定することによって、安定した状態での観察を行える。
【００１２】
また、固定具を構成する外筒に配設されている連結部材によって、この固定具を第１の内視鏡の挿通口に取り付け固定する。この状態で第２の内視鏡の挿入部を固定具を構成する内管の備える軸方向貫通孔を介して第１の内視鏡のチャンネルに挿通させていく。そして、例えば第２の内視鏡の挿入部の先端部を、前記第１の内視鏡の挿入部の先端面から所定量、突出させる。次いで、固定手段によって前記第２の内視鏡の挿入部を前記内管に一体的に固定する。このことによって、前記第１の内視鏡の挿入部の先端面から前記第２の内視鏡の挿入部の先端部が所定量突出した状態に固定保持される。この状態で、進退量調整部材を回動させる。すると、この進退量調整部材と前記内管とが螺合状態であることにより、前記内管は、前記進退量調整部材の回動量に対応して前記外筒に対して進退移動される。すると、この内管に一体的に固定されている前記第２の内視鏡の挿入部も同方向に移動されて、この挿入部の先端面の突出量が変化する。
【００１３】
そして、第２の内視鏡の挿入部を内管の軸方向貫通孔に挿通させた状態で、筒状部材を内管の端部を構成する細径部に螺合していくことによって、この筒状部材のテーパー面が前記細径部のテーパー面を押圧していく。すると、すり割溝が形成されている細径部の内周面が第２の内視鏡の挿入部を押圧した状態になる。このことによって、第２の内視鏡の挿入部と内管とが一体になる。
【発明の効果】
【００１４】
本発明によれば、第１内視鏡に備えられているチャンネルに進退自在に挿通配置された、拡大観察可能な第２内視鏡の第１内視鏡からの突出量を微調整して、組織、毛細血管等の拡大観察を容易に行える内視鏡装置を提供することができる。
【発明を実施するための最良の形態】
【００１５】
以下、図面を参照して本発明の実施の形態を説明する。 
図１ないし図８は本発明の一実施形態に係り、図１は内視鏡装置の構成を説明する図、図２は第１内視鏡と、第２内視鏡と、固定具との関係を説明する図、図３は第２内視鏡の構成を説明する図、図４は固定具の構成を説明する一部断面図を含んだ側面図、図５は固定具の構成を説明する一部断面図を含んだ下面図、図６は固定具を手元側から見たときの図、図７は図４のＣ−Ｃ線断面図、図８はヘモグロビンの吸光特性を説明する図である。
【００１６】
なお、図２（ａ）は固定具によって第２内視鏡を第１内視鏡に取り付けた状態を説明する図、図２（ｂ）は図２（ａ）のＡ部の斜視図、図３（ａ）は第２内視鏡の側面図、図３（ｂ）は第２内視鏡の先端部正面図、図３（ｃ）は図３（ｂ）のＢ−Ｂ線断面図である。
【００１７】
図１に示すように本実施形態の内視鏡装置１は、第１の内視鏡である硬性内視鏡（以下、硬性鏡と略記する）２と、第２の内視鏡である拡大観察内視鏡（以下、拡大鏡と略記する）３と、連結部である内視鏡用固定具（以下、固定具と略記する）４と、カメラ装置５と、カメラコントロールユニット（以下、ＣＣＵと略記する）である第１ＣＣＵ６Ａ及び第２ＣＣＵ６Ｂと、光源装置である第１光源７Ａ及び第２光源７Ｂと、ＲＧＢ出力切替装置８と、観察装置であるモニタ９と、動画記録装置１０と、ビデオプリンタ１１とで構成されている。なお、このビデオプリンタ１１はモニタ９に表示された画像を印刷する装置であり、前記動画記録装置１０は前記モニタ９に出力される動画像を記録する装置である。
【００１８】
まず、図１及び図２を参照して前記硬性鏡２の構成を説明する。 
図に示すように前記硬性鏡２は、細長で硬性な挿入部２１と、この挿入部２１の手元部に設けられた把持部２２と、この把持部２２の側部から斜め後方に突設したカメラ取り付け部である接眼部２３とを備えて構成されている。
【００１９】
前記挿入部２１内にはチャンネル２４が形成されている。前記把持部２２の基端面には前記チャンネル２４への入り口となる外周面に例えば雄ねじ２５ａを形成した挿通口２５が設けられている。
【００２０】
前記接眼部２３には前記カメラ装置５が図示しない着脱機構を介して取り付けられるようになっている。この接眼部２３まで図示しないリレーレンズを介して伝達された光学像は、前記カメラ装置５に設けられている図示しない撮像装置で電気信号に光電変換され、撮像ケーブル６１を介して第１ＣＣＵ６Ａに伝送される。この第１ＣＣＵ６Ａには図示しない画像処理回路等が設けられており、前記撮像ケーブル６１を介して伝送された電気信号は前記画像処理回路によって映像信号に生成される。
【００２１】
なお、符号２６はライトガイドコネクタである。このライトガイドコネクタ２６には前記第１光源７Ａから延出するライトガイドケーブル７１の先端部に設けられているライトガイドコネクタ７１ａが着脱自在に取り付けられるようになっている。このライトガイドコネクタ７１ａを前記ライトガイドコネクタ２６に接続することによって、前記第１光源７Ａから供給される照明光が、硬性鏡２の挿入部２１内を挿通する照明光学系を構成するライトガイドファイバ束（不図示）を介して挿入部先端面から観察部位に向かって照射される。
【００２２】
次に、図１ないし図３（ｃ）を参照して前記拡大鏡３の構成を説明する。 
図に示す前記拡大鏡３は、細長で例えば段付きの硬性な挿入部３１と、この挿入部３１の手元部に設けられた把持部３２と、この把持部３２の基端部から延出するユニバーサルコード３３とを備えて構成されている。
【００２３】
前記挿入部３１の先端部には複数の光学レンズを配設して組織学的観察レベルの倍率（例えば４００倍）に構成した対物光学系３４が設けられている。この対物光学系３４を通してとらえられた光学像は、撮像装置３５を構成する例えばＣＣＤ３５ａの撮像面に結像される。この撮像面に結像した光学像は電気信号に光電変換された後、前記ユニバーサルコード３３内等を挿通して電気ケーブル３６を介して前記第２ＣＣＵ６Ｂに伝送される。この第２ＣＣＵ６Ｂには図示しない画像処理回路等が設けられており、前記電気ケーブル３６を介して伝送された電気信号は前記画像処理回路によって映像信号に生成される。なお、この第２ＣＣＵ６Ｂには前記第１ＣＣＵ６Ａが映像ケーブル６２によって接続されている。
【００２４】
また、前記挿入部３１内には前記対物光学系３４を挟んで照明光学系を構成するライトガイドファイバ束３７が配設されている。このライトガイドファイバ束３７は、前記ユニバーサルコード３３内等を挿通して前記第２光源７Ｂに連結されている。このことによって、前記第２光源７Ｂから供給される照明光が、拡大鏡３の挿入部３１内を挿通するライトガイドファイバ束３７の先端面に臨まれている照明窓３７ａから観察部位に向かって照射されるようになっている。なお、符号３４ａは観察窓である。
【００２５】
なお、前記挿入部３１の先端部を構成する先端構成部材３８は、形状の異なる傾斜面３８ａを有してくさび状に形成されている。このことによって、例えば、臓器の切開部を観察する際、この挿入部３１の先端部をスムーズに切開部に挿入して観察を行える。
【００２６】
次いで、図２及び図４ないし図７を参照して前記固定具４について説明する。 
この固定具４は、図２中の符号４３に示す後述する第１リング部材を回動させることによって、図５中の矢印Ａ及び矢印Ｂ側、すなわち硬性鏡内を進退する方向、に内管４２を摺動移動させる構成になっている。そして、符号４６に示すストッパ部材が前記第１リング部材４３に当接することによって、前記内管４２の矢印Ｂ方向への移動が停止する構成になっている。
【００２７】
図４及び図５に示すように前記固定具４は主に外筒４１と、雄ねじ４２ａを形成した内管４２と、進退量調整部材である内周面に前記雄ねじ４２ａに螺合する雌ねじ４３ａを形成した第１リング４３と、連結部材であって内周面に前記硬性鏡２に構成された挿通口２５に形成されている雄ねじ２５ａに螺合する雌ねじ４４ａを形成した第２リング部材４４と、固定手段である内周面に雌ねじ４５ａとテーパー面４５ｂとを設けた筒状部材４５と、前記内管４２の先端側方向への移動を規制する例えばＥリング（図６参照）であるストッパ部材４６と、前記内管４２を付勢するスプリング４７と、前記第２リング部材４４が回動自在に配設されるリング配置部４８ａを有する先端部材４８と、前記外筒４１の内部空間４１ｂの先端部側に配設される中央貫通孔４９ａを有する内部ブロック４９とで構成されている。なお、前記雄ねじ４２ａ及び前記雌ねじ４３ａのねじピッチを例えば０．５ｍｍに設定している。
【００２８】
図５に示すように前記外筒４１には大径の内部空間４１ｂと、この内部空間４１ｂに連通する細径な透孔４１ｃとが形成されている。
【００２９】
この外筒４１の先端側端部には前記先端部材４８が螺合配置される雄ねじ４１ｅが形成されている。この雄ねじ４１ｅには前記先端部材４８の内周面に形成されている雌ねじ４８ｂが螺合される。
【００３０】
そして、前記外筒４１の内部空間４１ｂの先端部側に前記内部ブロック４９を配置させた状態で、前記先端部材４８を前記外筒４１の基端部に螺合配置することによって、前記外筒４１と、前記内部ブロック４９と、前記先端部材４８とが一体に構成されるようになっている。
【００３１】
前記内管４２の中央部には前記拡大鏡３の挿入部３１が挿通される軸方向貫通孔４２ｂが形成されている。この内管４２は、先端部側から順に前記外筒４１の内周面に当接する摺動面を備えた太径な摺動部４２ｃ、この摺動部４２ｃより細径で外周面側に前記スプリング４７が配置される内管本体４２ｄ及びこの内管４２の手元側基端部を構成する細径部４２ｅを備えて構成されている。
【００３２】
この細径部４２ｅの外周面には前記筒状部材４５の雌ねじ４５ａに螺合する雄ねじ４２ｆが形成され、手元側端部の外周面には固定手段を構成する所定のテーパー角のテーパー面４２ｇが形成されている。また、この細径部４２ｅの手元側端部には弾性変形を可能にするためのすり割溝４２ｈが例えば直交するように２つ形成されている。
【００３３】
なお、前記テーパー面４２ｇには前記筒状部材４５に形成されている前記テーパー面４５ｂが当接するようになっている。このテーパー面４５ｂは、前記テーパー面４２ｇを押圧して変形させるようにテーパー角は同一で変形量を考慮したテーパー孔として形成されている。そして、この筒状部材４５と前記細径部４２ｅとで前記挿入部３１を着脱自在に固定する、いわゆる、コレット式の機械的固定機構部が形成されている。
【００３４】
前記内管本体４２ｄの細径部４２ｅ側には、前記ストッパ部材４６を配置するためのストッパ配置溝４２ｋが形成されている。また、この内管本体４２ｄの先端部には前記雄ねじ４２ａが形成されている。
【００３５】
前記内管本体４２ｄには対向する平面部（図７符号４２ｍ参照）が形成されている。また、前記摺動部４２ｃの先端側端部には水密を図る第１Ｏリング５５ａが配置されるＯリング配置用溝４２ｎが形成されている。さらに、この内管４２の先端面中央部には円形凹部４２ｐが形成されている。この円形凹部４２ｐの底面には前記挿入部３１に密着して水密を図る第２Ｏリング５５ｂと、この第２Ｏリング５５ｂがこの円形凹部４２ｐから脱落することを防止する管状のＯリング脱落防止部材５６とが配設されるようになっている。なお、このＯリング脱落防止部材５６は、前記凹部４２ｐに例えば螺合によって一体的に固定される。
【００３６】
図７に示すように前記外筒４１には内部空間４１ｂに連通する透孔４１ｆが形成されている。この透孔４１ｆには前記平面部４２ｍに略当接して内管４２が回転することを防止する回転防止手段となる回転防止棒５７が挿通されるようになっている。この回転防止棒５７は例えば接着剤５８によって前記外筒４１に一体的に配設されるようになっている。この回転防止棒５７を配設することによって、前記第１リング部材４３を回動させたとき、この外筒４１の内部空間４１ｂに配設されている前記内管４２は、この内部空間４１ｂ内で回転することなく長手軸方向に進退移動する。
【００３７】
なお、前記回転防止棒５７は、前記スプリング４７を配置させた状態の内管４２を前記外筒４１内に配置させた後、前記平面部４２ｍの位置と前記透孔４１ｆとの位置調整を行った後に、挿通配置されて、接着剤５８によって固定される。
【００３８】
また、符号４９ｂはＯリング配置用溝であり、外筒４１の内周面に密着して内部空間４１ｂ内の水密を図る第３Ｏリング５５ｃが配置されるようになっている。符号４２ｑはＯリング配置用溝であり、外筒４１の透孔４１ｃに密着して水密を図る第４Ｏリング５５ｄが配置されるようになっている。符号４５ｃ、４３ｂ、４８ｃ及び４４ｂは滑り防止用の例えば凹凸部であり、前記筒状部材４５、第１リング部材４３、前記先端部材４８及び第２リング部材４４の外周面の全面に形成されている。
【００３９】
また、前記ＲＧＢ出力切替装置８は例えば、通常観察用で主に使用されるＲＧＢの映像信号出力と、血流観察用で主に使用されるＲ信号を除いたＧＢの映像信号出力とを任意に切り替える装置であり、出力信号を選択的に切り替えるための信号切替スイッチが設けられている。
【００４０】
前記内視鏡装置１における観察目的の１つとして血流の観察がある。血液中に含まれているヘモグロビンには図８に示すような吸光特性がある。図からわかるようにヘモグロビンは、Ｂ波長域及びＧ波長域に比べてＲ波長域における吸光係数が低い。
【００４１】
このことは、通常の白色光で血管のある被写体を観察した場合、血管の持つ情報が殆どＢ波長域及びＧ波長域で、Ｒ波長域の情報量が微弱であることを示す。したがって、血管の画像をよりＳ／Ｎを高くして観察するために、血管に関わる情報が少なくかつ解像するに当たってコントラストを妨げるＲ波長域の信号を省くことが有効であると判断できる。
【００４２】
このため、前記内視鏡装置１で第１光源７Ａ及び第２光源７Ｂからの照明光で照らされた被写体の血管の観察を行う場合には、Ｒ信号を除いたＧＢの映像信号出力状態に切り替えることが可能な前記ＲＧＢ出力切替装置８を使用する。このことによって、白色光からＲ照明光を除くフィルタを前記光源７Ａ、７Ｂに設けることなく、映像信号からＲ波長域の信号を除いて所望の観察を行える。
【００４３】
すると、Ｂ波長域の光は血管に吸収されて血管が黒色になってコントラストがはっきりする。また、Ｇ波長域の光は血管に少し吸収されて血管が薄い黒色になる。このとき、血管にＲ波長域の光が当たることがないので、反射による不都合が防止される。
【００４４】
そして、前記ＲＧＢ出力切替装置８には前記第２ＣＣＵ６Ｂから出力される映像信号及び前記第１ＣＣＵ６Ａから出力された後、前記第２ＣＣＵ６Ｂを介して出力される映像信号とが入力されるようになっている。
【００４５】
最後に、前記モニタ９には前記第１ＣＣＵ６Ａ及び第２ＣＣＵ６Ｂから出力された映像信号が前記ＲＧＢ出力切替装置８及び動画記録装置１０を経て入力される。このモニタ９の画面上には例えば前記硬性鏡２又は前記拡大鏡３でとらえた内視鏡画像とが例えば同時に表示されるようになっている。符号９ａは例えば拡大鏡用画面であり、符号９ｂは例えば硬性鏡用画面である。
【００４６】
上述のように構成した固定具４の作用を説明する。 
まず、体腔内に硬性鏡２を挿入する際、予め、この硬性鏡２の挿通口２５を介してチャンネル２４に連通するように固定具４を固設しておく。この固定具４の硬性鏡２への固定は、前記第２リング部材４４の雌ねじ４４ａを前記挿通口２５に設けられている雄ねじ２５ａに螺合することによって行う。
【００４７】
次に、拡大鏡３の挿入部３１を固定具４を介して体腔内に導いていく。このとき、この挿入部３１の先端部を図５に示す固定具４を構成する例えば一点鎖線で示す位置にある筒状部材４５の手元側端面に形成されているテーパー孔を介して軸方向貫通孔４２ｂに差し込んでいく。そして、この挿入部３１を体腔内に向けて導入していく。そして、この挿入部３１が前記軸方向貫通孔４２ｂを通過するとき、第２のＯリング５５ｂの付勢力に抗して挿入力が増大される。そして、この軸方向貫通孔４２ｂを通過した挿入部３１は、内部ブロック４９の中央貫通孔４９ａ、前記チャンネル２４を通って硬性鏡２の挿入部２１の先端部に導かれていく。
【００４８】
前記拡大鏡３の挿入部先端部が前記硬性鏡２の先端面から突出されると、この硬性鏡２の観察光学系によって前記拡大鏡３の先端部がとらえられる。すると、前記モニタ９の硬性鏡用画面９ｂ上に拡大鏡３の先端部をとらえた内視鏡画像が表示される。
【００４９】
そして、この拡大鏡３の挿入部３１の先端部が所定の位置に到達したなら、前記筒状部材４５を回転させて、一点鎖線に示す位置から実線に示す位置近傍まで移動させていく。すると、前記すり割溝４２ｈが形成されているコレット式の機械的固定機構を構成する細径部４２ｅの手元側端部に形成されているテーパー面４２ｇ部分の内周面が挿入部３１の外表面を押圧するように変形されて、この挿入部３１が固定具４に一体固定された状態になる。つまり、拡大鏡３の挿入部３１が硬性鏡２に一体的に取り付け固定される。
【００５０】
次いで、前記拡大鏡３の位置を微調整するために前記第１リング部材４３を回転操作する。すると、この第１リング部材４３の内周面に形成されている雌ねじ４３ａが、内管４２を構成する内管本体４２ｄの細径部４２ｅ側の外周面に形成されている雄ねじ４２ａに噛合していることによって、この内管４２が前記外筒４１の長手軸方向に対して矢印Ａ方向に徐々に摺動移動する。このとき、ピン５７が設けられていることによって内管４２は回転することなく移動する。
【００５１】
つまり、前記第１リング部材４３を回動させることによって、拡大鏡３の挿入部３１の先端面の位置を進退移動させて微調整を行える。このことによって、ピント調整が行われて、拡大鏡３の対物光学系３４を通してとらえた内視鏡画像が前記拡大鏡用画面９ａ上に表示される。
【００５２】
前記内管４２の摺動移動に伴って、図４に示すように前記摺動部４２ｃと内管本体４２ｄとの境界に形成されている段部が前記スプリング４７を徐々に圧縮していく。このため、前記第１リング部材４３を所定量回転させた状態からこの第１リング部材４３を逆方向に回転させた場合、上述と同様に前記雌ねじ４３ａと前記雄ねじ４２ａとが噛合しているとともに、前記スプリング４７が前記摺動部４２ｃと前記内管本体４２ｄとの境界に形成されている段部によって圧縮されて発生する付勢力によって、前記内管４２が前記外筒４１に対して矢印Ｂ方向に回転することなく徐々に摺動移動する。 
したがって、前記第１リング部材４３を回動操作しながら前記拡大鏡３の位置調整を行える。
【００５３】
なお、前記内管４２の摺動移動量は、この内管４２に形成される雄ねじと第１リング部材４３に形成される雌ねじのピッチを適宜設定することによって調整される。
【００５４】
また、拡大鏡３で観察を行うとき、前記ＲＧＢ出力切替装置８の切替スイッチを必要に応じて操作してＲＧＢ映像信号出力状態とＧＢ映像信号出力とに切り替える。このことによって、硬性鏡２でとらえた内視鏡画像と、拡大鏡３でとらえた血管を流れる血流をとらえた画像とを、それぞれ良好な状態で観察を行える。
【００５５】
さらに、硬性鏡２のチャンネル２４に、予め、拡大鏡３の挿入部３１を所定量、挿入させて、前記筒状部材４５を締め付けて挿入部３１と硬性鏡２とを一体に固定した状態にして、観察を行うようにしてもよい。
【００５６】
又、前記固定具４の外筒４１に対して内管４２を最先端部側に配置する代わりに、この内管４２を手動移動範囲中の中途部、或いは手元側基端部に配設させた状態にしておいてもよい。
【００５７】
このように、例えば硬性内視鏡の挿通口に固定される第２リング部材を設けた外筒と、拡大内視鏡の挿入部を内管に一体的に固定する機械的固定機構を設けた内管とを、一体に構成するとともに、この外筒に回動自在に雌ねじを備えた第１リング部材を設けて固定具を構成することによって、第１リング部材を回動させることによって、内管を外筒に対して長手軸方向に進退移動させて、この内管に一体的に固定されている拡大内視鏡の進退を微調整することができる。このことによって、ねじのピッチを適宜設定することによって移動量を変化させられる。
【００５８】
また、前記内管に平面部を設け、前記外筒に回転防止棒を配設して、前記第１リング部材を回動させたとき、内管が回転することなく長手軸方向に進退移動させることができる。このことによって、内管に一体的に固定された挿入部が回転することを防止される。
【００５９】
なお、本発明は、以上述べた実施形態のみに限定されるものではなく、発明の要旨を逸脱しない範囲で種々変形実施可能である。
【００６０】
［付記］
以上詳述したような本発明の上記実施形態によれば、以下の如き構成を得ることができる。
【００６１】
（１）被検体に挿入可能な第１の挿入部を有する第１の内視鏡と、
前記挿入部に形成され、前記挿入部の先端側開口と基端側開口とを連通するチャンネルと、
前記チャンネルに挿通可能な径で形成された第２の挿入部を有し、前記第１の内視鏡の観察倍率に対して高い観察倍率で前記被検体を観察可能な第２の内視鏡と、
前記チャンネルに前記第２の挿入部を挿入した状態で、前記第１の内視鏡に対して前記第２の内視鏡を螺合により一体的に取りつける連結部と、
を有する内視鏡装置。
【００６２】
（２）挿入部にチャンネルを有し、手元側の把持部に前記チャンネルに連通する挿通口を備える第１の内視鏡と、この第１の内視鏡のチャンネルに挿通される細長な挿入部の先端部に組織学的観察レベルの倍率の対物光学系を備えた第２の内視鏡と、この第２の内視鏡の挿入部を前記第１の内視鏡に一体的に連結固定する、前記第１の内視鏡の挿通口に着脱自在な内視鏡用固定具とを具備する内視鏡装置であって、
前記内視鏡用固定具は、
前記第１の内視鏡の挿通口に着脱自在な連結部材が配設される内周面の一部に雌ねじを形成した外筒と、
この外筒の内周面側に螺合する雄ねじを外周面の一部に形成し、前記第２の内視鏡の挿入部が挿通される軸方向貫通孔を備える内管と、
前記内管の軸方向貫通孔に挿通された前記第２の内視鏡の挿入部を、この内管に一体的に固定する固定手段と、
前記外筒に回動自在に配置され、前記内管の外周面に形成された雄ねじに螺合する雌ねじを形成した進退量調整部材と、
を具備する内視鏡装置。
【００６３】
（３）前記固定手段は、前記内管の端部を構成する、外周面に雄ねじとテーパー面とを形成したすり割溝を有する細径部に螺合配置される、前記細径部の雄ねじに螺合する雌ねじ及び前記テーパー面に押圧状態で当接するテーパー孔とを有する筒状部材である付記２に記載の内視鏡装置。
【００６４】
（４）前記内管が前記外筒に対して移動されるとき、この内管が回転することを防止する回転防止手段を設けた付記２に記載の内視鏡装置。
【００６５】
（５）第１の内視鏡の挿通口に着脱自在な連結部材が配設される外筒と、
この外筒の内周面側に螺合状態で進退自在に配置され、第２の内視鏡の挿入部が挿通される軸方向貫通孔を備える内管と、
この内管の軸方向貫通孔に挿通された前記第２の内視鏡の挿入部を、この内管に一体的に固定する固定手段と、
前記内管の外周面側に螺合配置され、回動されることによってこの内管を進退移動させる進退量調整手段と、
を具備する内視鏡用固定具。
【００６６】
この構成によれば、連結部材によって第１の内視鏡の挿通口に固定具を固設する。この状態で、第１の内視鏡に設けられている処置具挿通チャンネルに第２の内視鏡の挿入部を挿通させる。その後、固定手段を操作することによって、この第２の内視鏡の挿入部が内管に一体的に固定される。すなわち、前記第２の内視鏡の挿入部が前記第１の内視鏡に対して固定配置された状態になる。この状態で、進退量調整部材を回転操作することによって、前記第２の内視鏡の挿入部が一体的に固定された状態の内管が外筒に対して進退移動されて、この第２の内視鏡の挿入部が進退移動する。
【００６７】
（６）前記内管が前記外筒に対して移動されるとき、この内管が回転することを防止する回転防止手段を設けた付記５に記載の内視鏡用固定具。
【図面の簡単な説明】
【００６８】
【図１】内視鏡装置の構成を説明する図
【図２】第１内視鏡と、第２内視鏡と、固定具との関係を説明する図
【図３】第２内視鏡の構成を説明する図
【図４】固定具の構成を説明する一部断面図を含んだ側面図
【図５】固定具の構成を説明する一部断面図を含んだ下面図
【図６】固定具を手元側から見たときの図
【図７】図４のＣ−Ｃ線断面図固定具の構成を説明する一部断面図を含んだ上面図
【図８】ヘモグロビンの吸光特性を説明する図
【符号の説明】
【００６９】
４…固定具
４１…外筒    
４２…内管    
４２ａ…雄ねじ
４３…第１リング部材    
４３ａ…雌ねじ
４４…第２リング部材    
４５…筒状部材    
代理人    弁理士    伊藤  進
【図１】
2005177190.tif 000003
【図２】
2005177190.tif 000004
【図３】
2005177190.tif 000005
【図４】
2005177190.tif 000006
【図５】
2005177190.tif 000007
【図６】
2005177190.tif 000008
【図７】
2005177190.tif 000009
【図８】
2005177190.tif 000010